(57)【特許請求の範囲】
【請求項１】
- 内部区画（２４）を含むエンクロージャ（２０）であって、血小板攪拌機であるエンクロージャ（２０）と、
- 前記エンクロージャ（２０）の前記内部区画（２４）に配置された装置（２２）であって、当該装置（２２）は、血小板容器である要素（１２）を格納するための装置（２２）であって、それぞれの前記要素（１２）が第１の無線通信ユニット（１４）を含み、当該装置（２２）は、少なくとも１つの引出しアセンブリ（３０）を含み、それぞれの前記引出しアセンブリ（３０）が、
- ハウジング（４５）を備えた支持体（４０）と、
- 前記支持体（４０）の前記ハウジング（４５）内に配置され、前記支持体（４０）に対してスライド可能な引出し（４２）であって、前記要素（１２）を受容するための少なくとも１つのスロット（５８）を画定する底部（５６）を備えた引出し（４２）と、
- それぞれの前記スロット（５８）用の、無線周波数を送信することができる少なくとも１つの第２の無線通信ユニット（４４）であって、前記第１の無線通信ユニット（１４）の一式と通信できるように構成されている少なくとも１つの第２の無線通信ユニット（４４）と、
を備えた、装置（２２）と、
を含んでなる設備（１０）において、
前記引出し（４２）の前記底部（５６）は、前記第２の無線通信ユニット（４４）のそれぞれによって送信される無線周波数が横断し得る材料で形成され、
前記第２の無線通信ユニット（４４）のそれぞれは、前記スロット（５８）内に受容された前記要素（１２）の前記第１の無線通信ユニット（１４）と前記第２の無線通信ユニット（４４）との間の通信を可能にするように、前記引出し（４２）の前記底部（５６）に対応する前記スロット（５８）に対向して前記引出し（４２）の前記底部（５６）の下に配置され、
前記装置（２２）が、複数の前記引出しアセンブリ（３０）を含み、前記引出しアセンブリ（３０）を互いに組み立てて垂直スタック（３８）を形成することができることを特徴とする、設備（１０）。
【請求項２】
前記引出し（４２）の前記底部（５６）がプラスチックでできていることを特徴とする、請求項１に記載の設備（１０）。
【請求項３】
前記要素（１２）が、生物学的製品、薬品または治療用調製物の容器であることを特徴とする、請求項１または２に記載の設備（１０）。
【請求項４】
それぞれの前記第１の無線通信ユニット（１４）が無線識別タグであって、それぞれの前記第２の無線通信ユニット（４４）が無線識別リーダであることを特徴とする、請求項１〜３のいずれか一項に記載の設備（１０）。
【請求項５】
それぞれの前記第２の無線通信ユニット（４４）が、対応する前記引出しアセンブリ（３０）の前記支持体（４０）に固定されていることを特徴とする、請求項１〜４のいずれか一項に記載の設備（１０）。
【請求項６】
それぞれの前記第２の無線通信ユニット（４４）が、対応する前記引出しアセンブリ（３０）の前記引出し（４２）に固定されていることを特徴とする、請求項１〜４のいずれか一項に記載の設備（１０）。
【請求項７】
前記装置（２２）が、上端部（４６）および／または下端部（４８）を有する複数の前記引出しアセンブリ（３０）を含み、それぞれの前記引出しアセンブリ（３０）の前記支持体（４０）は、前記支持体（４０）の前記下端部（４８）または前記上端部（４６）のそれぞれの相補的アセンブリ部材（５１、５２）を有するアセンブリ部材（５１、５２）を含み、それによって、前記引出しアセンブリ（３０）を互いに組み立てて垂直スタック（３８）を形成することができることを特徴とする、請求項１〜６のいずれか一項に記載の設備（１０）。
【請求項８】
それぞれの前記第１の無線通信ユニット（１４）が、前記第１の無線通信ユニット（１４）に対応する前記要素（１２）に関する情報を含み、
それぞれの前記第２の無線通信ユニット（４４）は、適切な場合に、前記要素（１２）に関する情報を取得するために、前記第２の無線通信ユニット（４４）の反対側の前記スロット（５８）に受容された前記要素（１２）の前記第１の無線通信ユニット（１４）と通信することができ、
前記装置は、それぞれの前記第２の無線通信ユニット（４４）に接続された処理ユニット（３３）をさらに含み、
前記処理ユニット（３３）は、通信された情報から、それぞれの前記スロット（５８）の占有を決定し、占有されていれば前記スロット（５８）内に受容された前記要素の状態を決定することができ、
前記処理ユニット（３３）は、それぞれの前記スロット（５８）の占有に基づいた警報と、占有されていれば前記スロット（５８）に対応する前記要素（１２）の状態に基づいた警報を引き起こし得ることを特徴とする、請求項１〜７のいずれか一項に記載の設備（１０）。
【発明の詳細な説明】
【技術分野】
【０００１】
本発明は、要素を格納するための装置に関する。
【背景技術】
【０００２】
本発明はまた、そのような格納装置を含む設備に関する。
【０００３】
要素は、例えば、血液製剤（一次血液、血漿、血小板、赤血球など）または細胞工学製品（細胞、変種など）のような生物学的製剤を収容するパウチ（小袋）、または化学療法パウチのような薬用のパウチである。
【０００４】
そのようなパウチを、パウチが挿入される引出しによって形成された冷却構造内に格納することが知られている。そのような構造に挿入されたパウチは、一般に、対応するパウチに関する情報が記憶されているＲＦＩＤ（無線周波数識別）タグのような識別タグを備える。さらに、パウチのタグに含まれる情報を読み取って更新するために、ＲＦＩＤリーダのような読取装置が、それぞれの引出しのパウチの意図された位置に対して配置されている。
【０００５】
しかしながら、パウチのタグが引出し内で読取装置と対向して配置されていない場合、パウチのタグに含まれる情報の読み取りは実行されないかもしれない。
【発明の概要】
【発明が解決しようとする課題】
【０００６】
したがって、記憶スペースを邪魔することなく要素の状態の信頼性の高いチェックを可能にする要素格納装置が必要とされている。
【課題を解決するための手段】
【０００７】
この目的のために、本発明の目的は要素を格納するための装置であって、それぞれの要素は第１の無線通信ユニットを含み、当該装置は、少なくとも１つの引出しアセンブリを含み、それぞれの引出しアセンブリは、
- ハウジングを備えた支持体と、
- 支持体のハウジング内に配置され、支持体に対してスライド可能な引出しであって、要素を受容するための少なくとも１つのスロットを画定する底部を含む引出しと、
- それぞれのスロット用の、無線周波数を送信することができる少なくとも１つの第２の無線通信ユニットであって、全ての第１の無線通信ユニットと通信するように設計されている少なくとも１つの第２の無線通信ユニットと、
を含んでなり、引出しの底部は、第２の無線通信ユニット（またはそれぞれ）によって送信される無線周波数が横断し得る材料で作られ、第２の無線通信ユニットまたはそれぞれの第２の無線通信ユニットは、スロット内に受容された要素の第２の無線通信ユニットと第１の無線通信ユニットとの間の通信を可能にするために、引出しの底部の対応するスロットに対し、引出しの底部の下に配置されている。
【０００８】
特定の実施形態によれば、装置は、
- 引出しの底部はプラスチックでできている。
- 要素は、生物学的製品、医薬品または治療用製剤の容器である。
- それぞれの第１の無線通信ユニットは無線識別タグであって、それぞれの第２の無線通信ユニットは無線識別リーダである。
- それぞれの第２の無線通信ユニットは対応する引出しアセンブリの支持体に固定されており、それぞれの第２通信ユニットは対応する引出しアセンブリの引出しに固定されている。
- 装置は複数の引出しアセンブリを含み、それぞれの引出しアセンブリの支持体の上端部および／または下端部は、別の引出しアセンブリの支持体の上端部または下端部のそれぞれ相補的なアセンブリ部材と共にアセンブリ部材を含み、その結果、引出しアセンブリは互いに積み重ねられて垂直方向のスタックを形成する。
- それぞれの第１の無線通信ユニットは、第１の無線通信ユニットに対応する要素に関する情報を含み、それぞれの第２の無線通信ユニットは、適合する場合に、情報を取得するために第２の無線通信ユニットに面するスロットに収容された要素の第１の無線通信ユニットと通信することができ、装置は、それぞれの第２の無線通信ユニットに接続された処理ユニットをさらに含み、処理ユニットは、通信された情報から、それぞれのスロットの占有と、適合すればスロット内に受容された要素の状態とを決定することができ、処理ユニットは、それぞれのスロットの占有によって警報のきっかけとなることができ、適合すればスロットに対応する要素の状態を決定することができる。
上記特徴を、別々に、或いは、任意の技術的に実現可能な任意の組み合わせで、１つまたは複数の特徴を含む装置である。
【０００９】
本発明はまた、
- 内部区画を備えるエンクロージャと、
- 本願発明の第１の態様に基づく装置であって、エンクロージャの内部区画に配置されている装置と、
を含む設備に関する。
【００１０】
特定の実施形態によれば、
- エンクロージャが冷蔵エンクロージャである。
- 要素は血小板容器で、エンクロージャは血小板攪拌機(platelet stirrer)である。
上記特徴を、別々に、或いは、任意の技術的に実現可能な任意の組み合わせで、１つまたは複数の特徴を含む装置である。
【００１１】
本発明の他の特徴および利点は、例としてのみ与えられ、図面を参照して与えられる本発明の実施形態の以下の説明を読めば明らかになるであろう。
【図面の簡単な説明】
【００１２】
【図１】格納装置を含む設備の概略斜視図である。
【図２】図１の格納装置の斜視図である。
【図３】図１の格納装置のいくつかの引出しアセンブリの概略図を示す。
【図４】図１の装置に格納することを意図した要素の概略図を示す。
【発明を実施するための形態】
【００１３】
要素格納庫１２の設備１０が図１に示されている。
【００１４】
要素１２は、例えば、容器（図２に示される）である。一般に、容器は製品を入れることを意図したあらゆる種類のパウチを指定し、その使用は厳格な保管上の制約によって条件付けられる。
【００１５】
より具体的には、要素１２は、例えば、血液製剤（一次血液、血漿、血小板、赤血球のようなためのパウチ）のような生物学的製品または細胞工学製品（ヒトまたは動物の細胞、特に、ヒトまたは動物の幹細胞、ヒトまたは動物の細胞由来の製品）を収容するパウチである。
【００１６】
あるいは、要素１２は、溶媒および１つまたは複数の化学療法活性成分を概して収容する化学療法パウチのような、１つまたは複数の活性成分または薬物を収容する、薬物または治療製剤用のパウチである。
【００１７】
より一般的には、要素１２は、ヒトまたは動物に灌流することを目的とした任意の製品を収容することができる。
【００１８】
図４に示されるように、それぞれの要素１２は、第１の無線通信ユニット１４を含む。それぞれの第１の無線通信ユニット１４は、例えば、要素１２の外面に取り付けられた粘着タグのようなタグである。
【００１９】
一般に、それぞれの第１の無線通信ユニット１４は、少なくとも１つのアンテナと、メモリと、任意選択でマイクロプロセッサとを含む。
【００２０】
それぞれの第１通信部１４のアンテナは、例えば、無線周波数アンテナである。
【００２１】
それぞれの第１通信ユニット１４のメモリは、対応する要素１２に関する情報を含む。
【００２２】
そのような情報は、例えば、要素１２の固有の識別子、要素１２の保管日、要素１２の有効期限、要素１２の第１の無線通信ユニット１４が最後に情報を提供した日、 要素１２の内容物に関する寄付番号、要素１２の内容物の製品コード、要素１２の内容物の赤毛猿グループ、要素１２の内容物の血液表現型、要素１２の内容物が由来する患者の身元情報、要素１２の内容物が由来する患者の名前、要素１２の内容物の量、要素１２の内容物が取得された寄付センター（住所を含む）、要素１２に対する現在のプロセス、および、要素１２の内容物の抗凝固剤の種類。化学療法の場合、そのような情報には、さらに、製造日、製品の種類、ビヒクルの種類、処方医の身元情報、薬剤師の身元情報、製造者の身元情報、製造年月日、リリース日と状態（リリース済み、発行済みなど）。
【００２３】
設備１０は、エンクロージャ２０と格納装置２２とを備える。
【００２４】
エンクロージャ２０は、格納装置２２を受容するための内部区画２４を含む。
【００２５】
エンクロージャ２０は、例えば、冷蔵庫や冷凍庫のような冷却エンクロージャである。冷却エンクロージャが冷蔵庫であるとき、エンクロージャの温度は０℃から５℃の間で、好ましくは４℃に等しい。冷却エンクロージャが冷凍庫であるとき、エンクロージャの温度はマイナス３５からマイナス１９６℃の間で、好ましくはマイナス４０℃に等しい。
【００２６】
あるいは、エンクロージャ２０は血小板攪拌機であってもよい。次いで、エンクロージャ２０は、好ましくは２４℃に等しい温度を有する定温器（インキュベーター）に一体化されるのが好ましい。
【００２７】
以下の説明では、相対位置は、概して床上に載っている底部が定義され、底部の反対側に頂部があって、エンクロージャ２０の現在の使用方向に関して定義されている。これらの相対位置では、「下」や「上」などの用語で強調されています。
【００２８】
装置２２は、複数の引出しアセンブリ３０とベース３２とを含む。図２に示すように、装置２２はさらに処理ユニット３３を含む。
【００２９】
後述するように、引出しアセンブリ３０は互いの上に積み重ねられて、引出しアセンブリ３０の垂直スタック３８を形成する。図１〜図３は、１０個の引出しアセンブリ３０のスタックの例を示す。
【００３０】
それぞれの引出しアセンブリ３０は、図２に示されるように、支持体４０と、引出し４２と、少なくとも１つの第２の無線通信ユニット４４を備える。
【００３１】
支持体４０は、ハウジング４５と、上端部４６と、下端部４８（図３に示される）と、接続部４９（図２に示される）とを含む。任意選択で、それぞれの引出しアセンブリ３０はプレートも含む。
【００３２】
それぞれのハウジング４５は対応する引出し４２を受けるように設計されている。
【００３３】
図３に示されるように、それぞれの引出しアセンブリ３０の上端部４６は、少なくとも第１のアセンブリ部材５１を含む。第１のアセンブリ部材５１は、例えば、雌型接続部材である。
【００３４】
図３に示されるそれぞれの引出しアセンブリ３０の下端部４８は、第１のアセンブリ部材５１と相補的な少なくとも１つの第２のアセンブリ部材５２を含む。第２のアセンブリ部材５２は、例えば雄型アセンブリ部材である。
【００３５】
図３に示す例では、第１の接続部材５１はスロットであって、第２の接続部材５２はスロットと相補的なリブである。
【００３６】
したがって、それぞれの引出しアセンブリ３０は、引出しアセンブリ３０の第１のアセンブリ部材５１、および／または、引出しアセンブリ３０の第２の、１つもしくは２つのアセンブリ部材５２によって、スタック３８の少なくとも１つの他の引出しアセンブリ３０と組み立てられる。
【００３７】
接続部４９は、例えば電気的接続部である。
【００３８】
図１〜図３に示す実施形態では、それぞれの引出しアセンブリ３０の接続部４９は、一方では引出しアセンブリ３０の第２の無線通信ユニット４４に、他方では他の引出しアセンブリ３０の第２の無線通信ユニットに接続されている。さらに、接続部４９は処理ユニット３３に接続されている。
【００３９】
それぞれの引出し４２は支持体４０のハウジング４５内に配置されている。それぞれの引出し４２は対応する支持体４０に対してスライドすることができる。
【００４０】
それぞれの引出し４２は、要素１２を受容する少なくとも１つのスロット５８を画定する底部５６を含む。
【００４１】
それぞれの引出し４２の底部５６は、引出し４２の引出しアセンブリ３０の第２の無線通信ユニット４４によって発信された電波が横断することができる材料からなる。
【００４２】
それぞれの引出し４２の底部５６の材料は、例えばプラスチックである。
【００４３】
図１〜図３に示す実施形態では、それぞれの引出し４２の底部５６は、要素１２を受容するための１２個のスロット５８を画定している。
【００４４】
それぞれのスロット５８は、例えば、エッジ５９によって境界が定められてボックス６０を形成している。
【００４５】
図１〜図３に示す実施形態では、それぞれの引出しアセンブリ３０は、スロット５８と同数の第２の無線通信ユニット４４を備える。
【００４６】
それぞれの第２の無線通信ユニット４４は、スロット５８内に受容された要素１２の第２の無線通信ユニット４４と第１の無線通信ユニット１４との間の通信を可能にするために、対応するスロット５８に対し、引出し４２の底部５６の下に配置される。「反対の」という表現は、それぞれの第２の無線通信ユニット４４がスロット５８によって画定された空間の反対側に配置されることを意味すると理解される。言い換えれば、第２の無線通信ユニット４４の平面内のスロット５８の突起が、第２の無線通信ユニット４４と併合される。
【００４７】
それぞれの第２の無線通信ユニット４４は、必要ならば、要素１２に関する情報を取得するために、スロット５８内に収容された要素１２の第１の無線通信ユニット１４と通信することができる。
【００４８】
それぞれの第２通信部４４は、無線周波数を発信することができる。それぞれの第２通信ユニット４４は、全ての第１通信ユニット１４と通信するように設計されている。
【００４９】
例示的実施形態では、第１の無線通信ユニット１４はＲＦＩＤタグであって、第２の無線通信ユニット４４はＲＦＩＤリーダである。
【００５０】
より一般的には、それぞれの第２の無線通信ユニット４４は、少なくとも１つのアンテナと、メモリと、任意選択でマイクロプロセッサとを含む。
【００５１】
図１〜図３に示す実施形態では、それぞれの第２の無線通信ユニット４４は対応する引出しアセンブリ３０の引出し４２と一体である。より具体的には、それぞれの第２の無線通信ユニット４４は対応するスロット５８の引出し４２の底部５６の下に固定される。
【００５２】
あるいは、それぞれの第２の無線通信ユニット４４は、対応する引出しアセンブリ３０の支持体４０と一体である。それぞれの引出しアセンブリ３０はさらにサテライトを含む。サテライトは、第２の無線通信ユニット４４を収容するハウジングである。サテライトは、引出しアセンブリ３０の引出し４２の真下で引出しアセンブリ３０の支持体４０に固定されている。引出し４２が閉じられているとき、第２の無線通信ユニット４４は対応するスロット５８に面する位置にあり、したがって、必要ならば、対応するスロット５８内に配置されている第１の無線通信ユニット１４と通信することができる。引出し４２が空いているとき、第２の無線通信ユニット４４は引出し４２と一緒に動かないので、対応するスロット５８に配置された第１の無線通信ユニット１４と通信することはできない。
【００５３】
それぞれのプレートは、任意の第２の無線通信ユニット４４によって発信された電波の通過を防ぐように設計されている。
【００５４】
それぞれのプレートは、それぞれの引出しアセンブリ３０の引出し４２の底部５６の下方かつ引出しアセンブリ３０の引出し４２の底部５６のスロット５８に対応する第２の無線通信ユニット４４の下方に配置されている。したがって、それぞれの第２通信ユニット４４は、第２通信ユニット４４の上方に位置する第１通信ユニット１４とのみ通信することができる。
【００５５】
それぞれのプレートは、例えば金属製である。
【００５６】
ベース３２は、引出しアセンブリ３０のスタック３８の最下部の引出しアセンブリ３０と組み立てられる。この目的のために、ベース３２は、少なくとも第３のアセンブリ部材を備える上端部６２を含む。それぞれの第３のアセンブリ部材は、第１のアセンブリ部材５１と同一である。スタック３８の最後の引出しアセンブリ３０の第２のアセンブリ部材５２は、ベース３２の第３のアセンブリ部材と組み立てられ、それによってスタック３８を閉じることが可能になる。
【００５７】
処理ユニット３３は、第２の無線通信ユニット４４から来る情報を処理することができる。特に、処理ユニット３３は、それぞれのスロット５８の占有と、スロット５８内に配置されている素子１２の状態を、利用可能な情報から適切に判定することができる。
【００５８】
判定される状態は、例えば、「有効」状態と「無効」状態の２つである。要素１２に関する情報が仕様に準拠する場合、要素１２は「有効」と見なされ、そうでなければ「無効」と見なされる。
【００５９】
したがって、処理ユニット３３は、格納装置２２の瞬間的な画像、すなわちどの要素１２がどのスロット５８にあるか、およびそれぞれの要素１２に関する情報を有する。処理ユニット３３はまた、装置２２に対するそれぞれの要素１２の入庫日および出庫日を含む。
【００６０】
さらに、処理ユニット３３は、第２の無線通信ユニット４４を調整することができる。特に、処理ユニット３３は、それぞれの第２の無線通信ユニット４４を起動し、必要に応じて第２の無線通信ユニット４４による第１の無線通信ユニット１４に収容された情報の更新を命令することができる。
【００６１】
任意選択で、処理ユニット３３は、それぞれのスロット５８の占有、および、該当する場合にはスロット５８に対応する要素１２の状態に応じた警報を発するきっかけとすることができる。例えば、同じスロット５８が複数の要素１２を含むと処理ユニット３３が判断した場合、処理装置３３は警報を発する。
【００６２】
設備１０に統合された装置２２の動作をここで説明する。
【００６３】
要素１２が装置２２の引出しアセンブリ３０のうちの１つのスロット５８内に配置されると、スロット５８に対応する第２の無線通信ユニット４４は、要素１２の第１の無線通信ユニット１４と通信して関連情報を取得する。収集された情報から、処理ユニット３３はそれぞれの要素１２の状態を決定し、必要ならば、警報を発し、或いは、しないかのいずれかである。
【００６４】
したがって、装置２２は、装置２２内に格納されている要素１２の状態、並びに、引出しアセンブリ３０のスロット５８の占有率を確実に制御している。
【００６５】
さらに、対応する引出しの下にリーダを特別に配置することで、設置面積を削減できる。
【００６６】
したがって、装置２２は、格納スペースを煩わすことなく要素１２の状態を確実に制御するための要素格納装置である。
【００６７】
さらに、装置２２の引出しアセンブリ３０を組み立ておよび分解することは容易である。装置２２のそのようなモジュール性は、スタック３８の引出しアセンブリ３０の数を変更することによって、装置２２を多数の設備１０に適合することを可能にする。
【００６８】
さらに、引出しアセンブリの積み重ねは、複数の引出しよりもはるかに重くなくて扱いづらくないので、その取り扱いおよび設置がより容易である。
【００６９】
さらに、製造の観点からすると、何十もの異なるサイズのキャビネットではなく、何千もの同一の引出しアセンブリが製造される。これにより、在庫管理を簡素化し、経済的規模を維持することができる。
【００７０】
さらに、装置２２は、以前はＲＦＩＤ技術を有していなかった設備１０に適合させることができる。
【００７１】
加えて、縮小されたサイズは、設備１０がより多数の要素１２を含む構成を想定することを可能にする。
【００７２】
さらに、設備１０および／または装置２２は製造が容易である。
【００７３】
最後に、それぞれの引出しアセンブリ３０がサテライトを含む変形例では、サテライトは１つのアセンブリ内にあって、したがって故障の場合に交換が容易である。
【符号の説明】
【００７４】
１０  設備
１２  要素
１４  第１の無線通信ユニット
２０  エンクロージャ
２２  格納装置
２４  内部区画
３０  引出しアセンブリ
３２  ベース
３３  処理ユニット
３８  垂直スタック
４０  支持体
４２  引出し
４４  第２の無線通信ユニット
４５  ハウジング
４６  上端部
４８  下端部
４９  接続部
５１  第１のアセンブリ部材
５２  第２のアセンブリ部材
５６  底部
５８  スロット
５９  エッジ
６０  ボックス
【図１】
0006987132.tif 000002
【図２】
0006987132.tif 000003
【図３】
0006987132.tif 000004
【図４】
0006987132.tif 000005